(57)【要約】  押圧を加えることによって接触位置がずれた場合に、操作者が意図しない動作を防止することができる電子機器を提供する。  電子機器１は、オブジェクトを表示する表示部２０と、接触物の接触を検出する接触検出部１０と、接触検出部１０に対する押圧を検出する押圧検出部３０と、表示部２０に表示されたオブジェクトの受付領域に対応する接触検出部１０の領域における接触物の接触位置と、押圧検出部３０から取得する接触検出部１０に対する押圧に基づくデータとに基づいて、前記オブジェクトに対応付けられた処理を行う制御部６０とを備える。制御部６０は、前記押圧に基づくデータが増加するとともに、接触検出部１０が検出する接触物の接触位置が変化した場合、接触位置が変化した方向に、前記オブジェクトの受付領域を変化させる。
2012102055.tif 000002
【特許請求の範囲】
【請求項１】
オブジェクトを表示する表示部と、
接触物の接触を検出する接触検出部と、
前記接触検出部に対する押圧を検出する押圧検出部と、
前記表示部に表示されたオブジェクトの受付領域に対応する前記接触検出部の領域における前記接触物の接触位置と、前記押圧検出部から取得する前記接触検出部に対する押圧に基づくデータとに基づいて、前記オブジェクトに対応付けられた処理を行う制御部と、を備え、
前記制御部は、前記押圧に基づくデータが増加するとともに、前記接触検出部が検出する前記接触物の接触位置が変化した場合、前記接触位置が変化した方向に、前記オブジェクトの受付領域を変化させることを特徴とする電子機器。
【請求項２】
前記制御部は、前記接触検出部が検出する接触位置が変化した方向と、該接触位置の変化量または前記押圧に基づくデータとに応じて、前記オブジェクトの受付領域を変化させることを特徴とする、請求項１に記載の電子機器。
【請求項３】
前記制御部は、前記オブジェクトの受付領域を、動的に変化させることを特徴とする、請求項１に記載の電子機器。
【請求項４】
前記制御部は、前記オブジェクトの受付領域を、拡大および／または移動させることを特徴とする、請求項１に記載の電子機器。
【発明の詳細な説明】
【関連出願の相互参照】
【０００１】
本出願は、２０１１年１月２７日に出願された日本国特許出願２０１１−０１５６８９号、および２０１１年４月２５日に出願された日本国特許出願２０１１−０９７１８２号の優先権を主張するものであり、これらの先の出願の開示全体を、ここに参照のために取り込む。
【技術分野】
【０００２】
本発明は、接触検出部を備える電子機器に関するものである。
【背景技術】
【０００３】
近年、携帯電話等の携帯端末において、操作者による操作を検出する部材として、タッチセンサやタッチスイッチ等の接触検出部を備える電子機器が増えている。また、携帯端末以外に、電卓、券売機等の機器や、電子レンジ、テレビ、照明器具等の家電製品、産業用機器（ＦＡ機器）等、接触検出部を備える電子機器は広く使用されている。【０００４】
このような接触検出部には、抵抗膜方式、静電容量方式等の種々の方式が知られている。いずれの方式の接触検出部も、操作者の指やスタイラスペン等による接触を検出する。接触検出部を備えた電子機器は、一般的に、接触検出部の裏面に配置した表示部の表示画面上に、操作キーやボタン等（以下、単に「操作キー等」と記す）の画像（以下、「オブジェクト」と記す）を表示する。表示画面上に表示されたオブジェクトを操作者が押圧すると、当該押圧の位置における接触を接触検出部が検出するようになっている。【０００５】
また、操作者の指先と接触検出部の接触面積、および押圧荷重に基づいて入力表示画像の大きさを制御することにより、指先の太い（接触面積の大きい）操作者であっても２個以上の入力エリアを同時に押圧したと判定されることを防止し、入力操作に不慣れな操作者であっても入力エラーを回避する電子機器が知られている（例えば、特許文献１）。また、操作者ごとに個別に入力許容エリアの大きさを補正することにより、操作者ごとに特有の位置ずれや多重入力等の誤入力操作を解消する電子機器が知られている（例えば、特許文献１，２参照）。【０００６】
また、指が接触検出部に軽く指が触れてしまっただけで電子機器の処理が行われることを防止するとともに、オブジェクトを押圧した際に現実のボタンを押下したときと同様のリアルな触感を操作者に呈示するために、所定の入力受付基準を満たす押圧荷重が接触検出部に加わったときに入力を受け付け、接触検出部を振動等させて操作者の指先に所定の触感を呈示する電子機器も提案されている。以下では、このような電子機器を、「触感呈示機能を有する電子機器」と称する。
【先行技術文献】
【特許文献】
【０００７】
【特許文献１】特開平３−７００２０号公報
【特許文献２】特開平８−０６３２８９号公報
【発明の概要】
【発明が解決しようとする課題】
【０００８】
表示部に表示されている操作キー等のオブジェクトを操作者が押圧する場合、従来の電子機器は、操作者がオブジェクトに触れた瞬間にオブジェクトを押圧したと判定していた。そのため、操作者が最初に触れた接触位置がオブジェクトの領域内に入っていれば、このオブジェクトに対応付けられた処理を開始していた。一方、触感呈示機能を有する電子機器の場合、リアルな触感を呈示するため、操作者が接触検出部に触れただけではオブジェクトを押圧したとは判定せず、さらにそこから押圧荷重を加えた時に、オブジェクトを押圧したと判定する。この場合、押圧箇所を押し込むために操作者が強く圧力を加えると、接触検出部と指との接触位置が指先から指腹へと移動し、接触位置にずれが生じることがあった。【０００９】
図７は、従来の電子機器における接触位置のずれを説明する図である。一般的に、図７（ａ）に示すように、従来の電子機器は、操作者が接触検出部１０を指で触れた瞬間の接触位置Ｐを判定し、接触位置Ｐに対応するオブジェクトを押圧したと判定する。しかしながら、触感呈示機能を有する電子機器の場合、最初に触れた接触位置Ｐはオブジェクトの位置に対応するか否かを判定するのみであり、その後オブジェクトに押圧荷重を加えて実際に押し込むことによってオブジェクトを押圧したと判定する。人間が指に力を加えて平面を押圧する場合、指の腹で圧力を加えるため、図７に示すように、指の形状が破線で示す形状から実線で示す形状に変化する。それに伴い、接触位置は指先から指の腹へ移動し、接触位置もＰからＰ’へ移動してしまう。ここで、接触位置は、例えば、抵抗膜方式であれば、押圧されているエリアの重心の中心点、静電容量方式であれば、接触検出部に触れている面積の中心点とする。【００１０】
図７（ｃ）に示すように、最初、受付領域Ａ内に接触位置Ｐが位置していても、押圧荷重を加えることによって接触位置がずれ、ずれた接触位置Ｐ’が受付領域Ａの領域外に位置してしまうことがある。【００１１】
図７（ｃ）に示すように、操作者がオブジェクトの受付領域に対応する接触検出部の領域（以下、単に「受付領域」と記す）Ａを押圧するために接触検出部１０に押圧荷重を加えた時に、ずれた接触位置Ｐ’が受付領域Ａの外へ位置すると、電子機器は、オブジェクトの押圧が中断されたと判定してしまう。また、押圧対象のオブジェクトのすぐ隣に別のオブジェクトが存在する場合には、接触位置がずれたことにより、隣のオブジェクトが押圧されたと判定してしまう。【００１２】
特許文献１，２に記載の技術では、操作者がオブジェクトを押圧した時点で表示画像や入力許容エリアの大きさを補正しているため、押圧荷重を加え始めたことによって生じる接触位置のずれを補正することはできなかった。また、触感呈示機能を有する電子機器の場合、指の太さに関係なく位置ずれは生じるが、特許文献１，２に記載の技術では、指の細い（接触面積の小さい）操作者に対して、表示画像や入力許容エリアを広くするように補正することはできなかった。【００１３】
このように、従来の電子機器では、操作者が押圧を加えることによって接触位置がずれた場合に、オブジェクトの押圧の中断や、隣のオブジェクトの押圧といった、操作者が意図しない動作を防止することができなかった。【００１４】
したがって、かかる事情に鑑みてなされた本発明の目的は、操作者が押圧を加えることによって接触位置がずれた場合に、操作者が意図しない動作を防止することができる電子機器を提供することにある。
【課題を解決するための手段】
【００１５】
上記課題を解決するため、本発明に係る電子機器は、
オブジェクトを表示する表示部と、
接触物の接触を検出する接触検出部と、
前記接触検出部に対する押圧を検出する押圧検出部と、
前記表示部に表示されたオブジェクトの受付領域に対応する前記接触検出部の領域における前記接触物の接触位置と、前記押圧検出部から取得する前記接触検出部に対する押圧に基づくデータとに基づいて、前記オブジェクトに対応付けられた処理を行う制御部と、を備え、
前記制御部は、前記押圧に基づくデータが増加するとともに、前記接触検出部が検出する前記接触物の接触位置が変化した場合、前記接触位置が変化した方向に、前記オブジェクトの受付領域を変化させることを特徴とする。【００１６】
さらに、本発明に係る電子機器において、
前記制御部は、前記接触検出部が検出する接触位置が変化した方向と、該接触位置の変化量または前記押圧に基づくデータとに応じて、前記オブジェクトの受付領域を変化させることを特徴とする。【００１７】
さらに、本発明に係る電子機器において、
前記制御部は、前記オブジェクトの受付領域を、動的に変化させることを特徴とする。【００１８】
さらに、本発明に係る電子機器において、
前記制御部は、前記オブジェクトの受付領域を、拡大および／または移動させることを特徴とする。
【発明の効果】
【００１９】
本発明によれば、押圧を加えることによって接触位置がずれた場合に、操作者が意図しない動作を防止することができる電子機器を提供することが可能となる。
【図面の簡単な説明】
【００２０】
【図１】本発明の第１の実施形態に係る電子機器の概略構成を示すブロック図である。
【図２】本発明の第１の実施形態に係る電子機器の実装構造の一例を示す図である。
【図３】本発明の第１の実施形態に係る電子機器の動作を示すフローチャートである。
【図４】本発明の第１の実施形態に係る電子機器の動作を説明する図である。
【図５】本発明の第２の実施形態に係る電子機器の動作を示すフローチャートである。
【図６】本発明の第２の実施形態に係る電子機器の動作を説明する図である。
【図７】従来の電子機器における接触位置のずれを説明する図である。
【発明を実施するための形態】
【００２１】
以下、本発明の実施の形態について、図面を参照して詳細に説明する。
【００２２】
（第１の実施形態）
図１は、本発明の第１の実施形態に係る電子機器の概略構成を示すブロック図である。図１に示すように、電子機器１は、接触検出部１０と、表示部２０と、押圧検出部３０と、記憶部４０と、触感呈示部５０と、制御部６０とを備える。
【００２３】
表示部２０は、押しボタンスイッチ（プッシュ式ボタンスイッチ）のようなオブジェクトを画像表示する。押しボタンスイッチとは、操作者が入力の操作に用いるボタンやキー等である。表示部２０は、例えば、液晶表示パネル（ＬＣＤ）や有機ＥＬ表示パネル等を用いて構成される。
【００２４】
接触検出部１０は、通常は表示部２０の前面に配置され、表示部２０に表示されたオブジェクトに対する操作者の指等の接触物（押圧物）による接触、または接触の解除を、対応する接触検出部１０のタッチ面１０ａにおいて検出する。また、接触検出部１０は、タッチ面１０ａに対する接触位置を検出し、検出した接触位置を制御部６０に通知する。この接触検出部１０は、例えば抵抗膜方式、静電容量方式等の公知の方式のもので構成される。
【００２５】
押圧検出部３０は、接触検出部１０のタッチ面１０ａに対する押圧を検出するもので、例えば、押圧に応じて物理的または電気的な特性（歪み、抵抗、電圧等）が変化する歪みゲージセンサや圧電素子等の素子等を用いて構成する。押圧検出部３０が、例えば、圧電素子等を用いて構成された場合、押圧検出部３０の圧電素子は、接触検出部１０のタッチ面１０ａに対する押圧に係る荷重（力）の大きさ（または、荷重（力）の大きさが変化する速さ（加速度））に応じて、電気的な特性である電圧の大きさ（電圧値）が変化する。押圧検出部３０は、この電圧の大きさ（電圧値（以下、単にデータと称する））を、制御部６０に通知する。制御部６０は、押圧検出部３０がデータを制御部６０に通知することにより、または、制御部６０が、押圧検出部３０の圧電素子に係るデータを検出することにより、当該データを取得する。つまり、制御部６０は、接触検出部１０のタッチ面１０ａに対する押圧に基づくデータを取得する。すなわち、制御部６０は、押圧検出部３０から押圧に基づくデータを取得する。
【００２６】
記憶部４０は、公知技術によるメモリで構成することができ、入力された各種情報や電子機器１を動作させるためのプログラムなどを記憶するとともに、ワークメモリとしても機能する。特に、本実施形態においては、記憶部４０はオブジェクトに対応付けられた処理（所定の処理）を行うための所定の基準に関する所定の閾値と、各オブジェクトに対応する受付領域とを記憶する。
【００２７】
制御部６０は、表示部２０に表示されたオブジェクトの受付領域に対応する接触検出部１０の領域における接触物の接触位置に基づいて、オブジェクトに対応付けられた所定の処理を開始する。また、制御部６０は、押圧検出部３０から取得した押圧に基づくデータが所定の基準を満たす、すなわち押圧に基づくデータが記憶部４０に記憶されている所定の閾値を超える場合には、触感呈示部５０に対して触感呈示動作を行うように指示する。
【００２８】
また、制御部６０は、押圧検出部３０から取得する押圧に基づくデータが増加するとともに、接触検出部１０が検出する接触物の接触位置が変化した場合、接触位置が変化した方向に、オブジェクトの受付領域を変化（例えば、拡大または移動）させる。なお、制御部６０は、受付領域を変化させた場合でも、表示部２０に表示しているオブジェクトの領域は変化させないこととするのが、元々表示されているＵＩ(User Interface)のデザインに影響を与えないので好適である。
【００２９】
触感呈示部５０は、例えば圧電振動子等を用いて構成され、所定の振動パターンによる振動等を発生させることにより、タッチ面１０ａに接触している接触物に対して、所定の触感を呈示する。触感呈示部５０により、押圧に基づくデータが所定の基準を満たしたか否かを操作者に報知することができる。
【００３０】
図２は、図１に示した電子機器１の実装構造の一例を示すもので、図２（ａ）は要部断面図、図２（ｂ）は要部平面図である。表示部２０は、筐体１１内に収納保持される。表示部２０上には、弾性部材からなるインシュレータ１２を介して、接触検出部１０を保持する。なお、本実施の形態に係る電子機器１は、表示部２０および接触検出部１０を、平面視で矩形状としてある。本実施の形態において、接触検出部１０は、図２（ｂ）に仮想線で示す表示部２０の表示領域Ａから外れた４隅に配設したインシュレータ１２を介して表示部２０上に保持される。
【００３１】
また、筐体１１には、表示部２０の表示領域から外れた接触検出部１０の表面領域を覆うようにアッパカバー１３を設け、このアッパカバー１３と接触検出部１０との間に、弾性部材からなるインシュレータ１４を配設する。
【００３２】
なお、図２に示す接触検出部１０は、タッチ面１０ａを有する表面部材を、例えば透明フィルムやガラスで構成し、裏面部材をガラスやアクリルで構成している。接触検出部１０は、タッチ面１０ａが押圧されると、押圧部分が押圧力に応じて微少量撓む（歪む）、または構造体そのものが微少量撓む構造のものを用いる。
【００３３】
接触検出部１０の表面上には、アッパカバー１３で覆われる各辺の近傍に、接触検出部１０に加わる荷重（押圧力）を検出するための歪みゲージセンサ３１をそれぞれ接着等により設ける。また、接触検出部１０の裏面上には、対向する２つの辺の近傍に、接触検出部１０を振動させるための圧電振動子５１をそれぞれ接着等により設ける。すなわち、図２に示す電子機器１は、図１に示した押圧検出部３０を４つの歪みゲージセンサ３１を用いて構成し、触感呈示部５０を２つの圧電振動子５１を用いて構成している。そして、触感呈示部５０により接触検出部１０を振動させることにより、タッチ面１０ａを振動させるようにしている。なお、図２（ｂ）は、図２（ａ）に示した筐体１１、アッパカバー１３およびインシュレータ１４の図示を省略している。
【００３４】
次に、このように構成される本実施形態に係る電子機器１の動作を説明する。図３は、本実施形態に係る電子機器１の動作を示すフローチャートである。
【００３５】
まず、電子機器１の動作が開始すると、制御部６０は、接触検出部１０に対する接触を監視する（ステップＳ１０１）。ステップＳ１０１において、操作者の指等の接触物による接触検出部１０に対する接触が検出されると、制御部６０は、接触検出部１０から接触位置を取得する（ステップＳ１０２）。
【００３６】
制御部６０は、ステップＳ１０２にて取得した接触位置が、キー等のオブジェクトの画像が表示された位置に対応するか否かを判定する（ステップＳ１０３）。接触位置が、オブジェクトの画像が表示された位置に対応しない場合には、処理を終了する。一方、接触位置が、オブジェクトの画像が表示された位置に対応する場合には、制御部６０は、押圧検出部３０から押圧に基づくデータを定期的に取得し、取得した押圧に基づくデータが所定の基準を満たすまで、すなわち、取得した押圧に基づくデータが記憶部４０に記憶された所定の閾値を超えるまで待機する（ステップＳ１０４）。ここで、所定の閾値は、操作者が接触検出部１０を押し込む動作をする際に、最低限必要となる押圧の荷重（力）に対応する値とする。
【００３７】
図４は、第１の実施形態の制御部６０における受付領域の変更処理を説明する図である。この図では、接触位置Ｐが、押圧力の増加により接触位置Ｐ’に移動し、接触位置Ｐ’が受付領域Ａの外に位置する様子を示している。図７（ｃ）に示したように、従来の電子機器は、接触位置が受付領域Ａの外に位置した場合には、操作者はそのオブジェクトから指を離したと判定するか、または接触位置Ｐ’に対応するオブジェクトが存在する場合には、該オブジェクトを押圧したと判定する。本実施形態の制御部６０は、このような操作者が意図しない動作を防止するために、接触位置Ｐ’が受付領域Ａの外に位置する場合でも、操作者が押圧を加え続けている間は、受付領域Ａに対応するオブジェクトが押圧されていると判断する。
【００３８】
つまり、制御部６０は、接触位置の変化方向（接触位置Ｐから接触位置Ｐ’へ向かうベクトル成分方向）を検出し（ステップＳ１０５）、取得した接触位置の変化方向に対して、オブジェクトの受付領域Ａを受付領域Ｂに変化（例えば、拡大または移動）させる（ステップＳ１０６）。これにより、接触位置Ｐ’が受付領域Ｂ内に位置する限り、受付領域Ａに対応するオブジェクトが押圧されたものとして処理を行うことができる。
【００３９】
制御部６０は、接触位置の変化方向に対して、予め定められた比率で受付領域Ａを拡大させることにより受付領域Ｂを決定することができる。例えば、制御部６０は、接触位置の変化方向に対して、接触位置の変化量に応じた比率で受付領域Ａを拡大させることにより受付領域Ｂを決定することができる。また、制御部６０は、接触位置の変化方向に対して、押圧検出部３０が取得する押圧に基づくデータに応じた比率で受付領域Ａを拡大させることにより、受付領域Ｂを決定してもよい。
【００４０】
また、制御部６０は、接触位置の変化方向に対して、予め定められた移動量で受付領域Ａを移動させることにより受付領域Ｂを決定することができる。例えば、制御部６０は、接触位置の変化方向に対して、接触位置の移動量に応じた移動量で受付領域Ａを移動させることにより受付領域Ｂを決定することができる。また、制御部６０は、接触位置の変化方向に対して、押圧検出部３０から取得する押圧に基づくデータに応じた移動量で受付領域Ａを移動させることにより、受付領域Ｂを決定してもよい。
【００４１】
そして、制御部６０は、受付領域Ａに対応するオブジェクトが押圧されたものとして、該オブジェクトに対応付けられた処理を開始する（ステップＳ１０７）。ついで、制御部６０は、触感呈示部５０に対して触感呈示動作を行うように指示する（ステップＳ１０８）。
【００４２】
その後、制御部６０は、指が非接触となる（指が接触検出部１０から離れる）まで待機する（ステップＳ１０９）。指が非接触であると判定すると、制御部６０は、受付領域Ｂを元の受付領域Ａに戻し（ステップＳ１１０）、処理を終了する。
【００４３】
このように、第１の実施形態の電子機器１によれば、制御部６０は、押圧検出部３０から取得する押圧に基づくデータが増加するとともに、接触検出部１０が検出する接触物の接触位置が変化した場合、接触位置が変化した方向に、オブジェクトの受付領域Ａを拡大または移動させる。これにより、押圧を加え始めたことによって接触位置がずれた場合に、オブジェクトの押圧の中断や、隣のオブジェクトの押圧といった、操作者が意図しない動作を防止することが可能となる。
【００４４】
（第２の実施形態）
次に、本発明による第２の実施形態に係る電子機器について説明する。第２の実施形態に係る電子機器１は、第１の実施形態に係る電子機器１と構成要素は同一であり、制御部６０による受付領域の補正処理のみが相違する。したがって、以下では、第２の実施形態に係る電子機器１の構成の説明は省略し、動作について説明する。図５は、本実施形態に係る電子機器１の動作を示すフローチャートである。
【００４５】
まず、電子機器１の動作が開始すると、制御部６０は、接触検出部１０に対する接触を監視する（ステップＳ２０１）。ステップＳ２０１において、操作者の指等の接触物による接触検出部１０に対する接触が検出されると、制御部６０は、接触検出部１０から接触位置を取得する（ステップＳ２０２）。
【００４６】
制御部６０は、ステップＳ２０２にて取得した接触位置が、キー等のオブジェクトの画像が表示された位置に対応するか否かを判定する（ステップＳ２０３）。接触位置が、オブジェクトの画像が表示された位置に対応しない場合には、処理を終了する。一方、接触位置が、オブジェクトの画像が表示された位置に対応する場合には、制御部６０は、押圧検出部３０から押圧に基づくデータを定期的に取得し、取得した押圧に基づくデータが所定の基準を満たすまで、すなわち、取得した押圧に基づくデータが記憶部４０に記憶された所定の閾値を超えるまで待機する（ステップＳ２０４）。
【００４７】
第１の実施形態と同様に（図４参照）、押圧荷重を加えたことによって接触位置Ｐ’が受付領域Ａの外に位置する場合でも、操作者が押圧を加え続けている限り、受付領域Ａに対応するオブジェクトが押圧されていると判断する必要がある。そこで、制御部６０は、接触位置の変化方向（接触位置Ｐから接触位置Ｐ’へ向かうベクトル成分方向）を検出し（ステップＳ２０５）、検出した接触位置の変化方向に対して、オブジェクトの受付領域Ａを受付領域Ｂに変化（例えば、拡大または移動）させる（ステップＳ２０６）。これにより、接触位置Ｐ’が受付領域Ｂ内に位置する限り、受付領域Ａに対応するオブジェクトが押圧されたものとして処理を行うことができる。
【００４８】
制御部６０は、接触位置の変化方向に対して、押圧検出部３０から取得する押圧に基づくデータに応じた比率で受付領域Ａを拡大させるか、あるいは、接触位置の変化方向に対して、接触位置の変化量に応じた比率で受付領域Ａを拡大させることにより、受付領域Ｂを決定する。
【００４９】
また、制御部６０は、接触位置の変化方向に対して、押圧検出部３０から取得する押圧に基づくデータに応じた移動量で受付領域Ａを移動させるか、あるいは、接触位置の変化方向に対して、接触位置の変化量に応じた移動量で受付領域Ａを移動させることにより、受付領域Ｂを決定する。
【００５０】
そして、制御部６０は、受付領域Ａに対応するオブジェクトが押圧されたものとして、該オブジェクトに対応付けられた処理を開始する（ステップＳ２０７）。ついで、制御部６０は、触感呈示部５０に対して触感呈示動作を行うように指示する（ステップＳ２０８）。
【００５１】
操作者が触感を呈示されてから指を離すまでには時間があり、個人差もある。また、アプリケーションによっては、オブジェクトを長押ししたときに所定の処理を行うものもある。このような、触感呈示後の押圧により、さらに接触位置がずれ、操作者が意図しない動作が発生することも考えられる。そこで、本実施形態の電子機器１は、触感を呈示した後も、引き続き動的に受付領域を変更させる。図６は、第２の実施形態の制御部６０における受付領域の変更処理を説明する図である。この図に示すように、変更後の受付領域Ｂの面積は、押圧に基づくデータに応じた比率で動的に拡大させ、押圧に基づくデータが大きくなるほど受付領域Ｂの面積を大きくする。また、変更後の受付領域Ｂの面積は、接触位置の変化量に応じた比率で拡大させ、オブジェクトの最初の接触位置に対する変化量が大きくなるほど受付領域Ｂの面積を大きくしてもよい。
【００５２】
また、変更後の受付領域Ｂは、押圧に基づくデータに応じた移動量で動的に移動させ、押圧に基づくデータが大きくなるほど受付領域Ｂの受付領域Ａからの移動量を大きくする。また、変更後の受付領域Ｂは、接触位置の変化量に応じた移動量で移動させ、オブジェクトの最初の接触位置に対する移動量が大きくなるほど受付領域Ｂの移動量を大きくしてもよい。
【００５３】
つまり、制御部６０は、ステップＳ２０８にて触感を呈示した後も、引き続き接触位置の変化方向を検出し（ステップＳ２０９）、検出した接触位置の変化方向に対して、オブジェクトの受付領域Ａを受付領域Ｂに拡大または移動させる（ステップＳ２１０）。
【００５４】
制御部６０は、ステップＳ２０９およびステップＳ２１０の処理を、指が接触検出部１０に対して非接触となる（指が接触検出部１０から離れる）まで継続する（ステップＳ２１１）。そのため、受付領域Ｂの面積、または受付領域Ｂの受付領域Ａからの移動量は、動的に変化する。指が非接触であると判定すると、制御部６０は、受付領域Ｂを元の受付領域Ａに戻し（ステップＳ２１２）、処理を終了する。
【００５５】
このように、第２の実施形態の電子機器１によれば、制御部６０は、触感を呈示（オブジェクトに対応付けられた処理を行った）後も、指が非接触となるまでの間、接触検出部１０が検出する接触物の接触位置が変化した場合に、接触位置が変化した方向に、動的に、オブジェクトの受付領域Ａを拡大または移動させる。これにより、触感呈示後の押圧により、さらに接触位置がずれた場合であっても、操作者が意図しない動作を防止することが可能となる。
【００５６】
また、第２の実施形態の電子機器１によれば、制御部６０は、動的にオブジェクトの受付領域Ａを拡大または移動させるため、押圧に基づくデータまたは接触位置の変化量が小さい場合には受付領域Ａの拡大率または移動量は小さくなる。そのため、受付領域Ａが必要以上に拡大または移動することはなく、複数のオブジェクトを同時に押圧する操作等に与える影響を最小限に抑えることができる。
【００５７】
なお、本発明は、上記実施の形態にのみ限定されるものではなく、幾多の変形または変更が可能である。例えば、上述した実施の形態では、接触検出部１０を用いてタッチ面１０ａに対する接触を検出したが、荷重センサ（押圧検出部）を用いて、所定の基準を満たした場合に、接触がなされたものと判定することもできる。このような押圧検出部は、上述した実施の形態の押圧検出部３０と同様に、任意の個数の歪みゲージセンサ３１等を用いて構成することができる。
【００５８】
なお、上述した実施の形態においては、接触物（押圧物）が指である場合について説明したが、接触物はスタイラスペンであってもよい。
【００５９】
また、上述した実施の形態において、押圧検出部３０は、接触検出方式に応じて構成することができる。例えば、抵抗膜方式の場合には、接触面積の大きさに応じた抵抗の大きさを接触検出部１０のタッチ面１０ａに対する押圧の荷重（力）に対応付けることにより、歪みゲージセンサ３１を用いることなく構成することができる。あるいは、静電容量方式の場合には、静電容量の大きさを接触検出部１０のタッチ面１０ａに対する押圧の荷重（力）に対応付けることにより、歪みゲージセンサ３１を用いることなく構成することができる。
【００６０】
また、触感呈示部５０は、振動モータ（偏心モータ）に基づいて電子機器１を振動させることにより、接触検出部１０のタッチ面１０ａを間接的に振動させるように構成することもできる。さらに、押圧検出部３０および触感呈示部５０は、圧電素子を用いて構成する場合は、圧電素子を共用して押圧検出部３０および触感呈示部５０を構成することもできる。圧電素子は、圧力が加わると電力を発生し、電力が加えられると変形するためである。
【００６１】
上述した実施の形態においては、接触検出部１０を表示部２０の上面に重ねて配置した構成を想定して説明したが、必ずしもこのような構成にする必要はなく、接触検出部１０と表示部２０とを離間した構成にしてもよい。
【００６２】
また、上述した実施の形態では、制御部６０は、押圧検出部３０から所定の基準を満たす押圧に基づくデータを取得すると所定の処理を行うが、所定の基準を満たす際とは、押圧検出部３０から取得した押圧に基づくデータが所定の閾値に達した際であってもよいし、押圧検出部３０から取得した押圧に基づくデータが所定の閾値を超えた際でもよいし、押圧検出部３０から所定の閾値と等しい押圧に基づくデータを取得した際でもよい。また、上述の実施形態の説明において、閾値を「超える」、閾値「以下」といった表現は必ずしも厳密な意味ではなく、閾値を「超える」とは閾値以上となった場合も包含し得るものとし、閾値「以下」とは閾値未満となった場合も包含し得るものとする。
【００６３】
また、上述した実施の形態において、触感呈示部５０がタッチ面１０ａに接触している接触対象に対して触感を呈示する態様として、触感呈示部５０がタッチ面１０ａに振動を発生させることにより、タッチ面１０ａに接触している接触対象に対して触感を呈示する態様を挙げて説明したが、本発明はこれに限定されず、接触検出部１０上に貼ったフィルムの電荷を制御する等により、機械的な振動を使わずに、タッチ面１０ａに接触している接触対象に対して触感を呈示してもよい。
【００６４】
また、上述した本発明の実施形態の説明における接触検出部１０および表示部２０は、接触検出部１０および表示部２０の両機能を共通の基板に持たせる等により、一体化した装置によって構成されてもよい。このような接触検出部１０および表示部２０の両機能を一体化した装置の構成の一例としては、液晶パネルが有するマトリクス状配列の画素電極群に、フォトダイオード等の複数の光電変換素子を規則的に混在させたものがある。この装置は、液晶パネル構造によって画像を表示する一方で、パネル表面の所望位置をタッチ入力するペンの先端で液晶表示用のバックライトの光を反射し、この反射光を周辺の光電変換素子が受光することにより、タッチ位置を検出することができる。
【００６５】
また、上述した本発明の実施の形態において、制御部６０は、押圧検出部３０から取得する押圧に基づくデータが増加するとともに、接触検出部１０が検出する接触物の接触位置が変化した場合、接触位置が変化した方向に、オブジェクトの受付領域を拡大または移動させていたが、ここで、オブジェクトの受付領域を拡大させる方向は、接触物の接触位置が変化した方向のみに限定されるわけではなく、接触位置が変化した方向が含まれていればよく、接触位置が変化した方向以外の他の方向に対してもオブジェクトの受付領域が拡大されていてもよい。一方、接触位置が変化した方向以外の他の方向に対してもオブジェクトの受付領域が拡大された場合、受付領域が変化することによって他のオブジェクトの受付領域に影響を及ぼすことになり、操作者によるマルチタッチ等の操作の際の弊害になるため、オブジェクトの受付領域を拡大する方向は、接触物の接触位置が変化した方向のみに限定してもよい。
【００６６】
また、上述した本発明の実施の形態において、制御部６０は、押圧検出部３０から取得する押圧に基づくデータが増加するとともに、接触検出部１０が検出する接触物の接触位置が変化した場合、接触位置が変化した方向に、オブジェクトの受付領域を拡大または移動させていたが、本発明はこれに限定されず、制御部６０は、押圧検出部３０から取得する押圧に基づくデータが増加するとともに、接触検出部１０が検出する接触物の接触位置が変化した場合、接触位置が変化した方向に、オブジェクトの受付領域を拡大させるとともに、受付領域を移動させてもよい。
【００６７】
また、上述した本発明の実施の形態において、制御部６０は、接触検出部１０が検出する接触位置が変化した方向と、押圧検出部３０から取得する押圧に基づくデータまたは接触検出部１０が検出する接触位置の変化量とに応じて、オブジェクトの受付領域を拡大または移動させていたが、本発明はこれに限定されず、制御部６０は、接触検出部１０が検出する接触位置が変化した方向と、押圧検出部３０から取得する押圧に基づくデータまたは接触検出部１０が検出する接触位置の変化量とに応じて、オブジェクトの受付領域を拡大させるとともに、受付領域を移動させてもよい。
【符号の説明】
【００６８】
１      電子機器
１０    接触検出部
１０ａ  タッチ面
１１    筐体
１２    インシュレータ
１３    アッパカバー
１４    インシュレータ
２０    表示部
３０    押圧検出部
３１    歪みゲージセンサ
４０    記憶部
５０    触感呈示部
５１    圧電振動子
６０    制御部
【図１】
2012102055.tif 000003
【図２】
2012102055.tif 000004
【図３】
2012102055.tif 000005
【図４】
2012102055.tif 000006
【図５】
2012102055.tif 000007
【図６】
2012102055.tif 000008
【図７】
2012102055.tif 000009
【国際調査報告】
2012102055.tif 000010
2012102055.tif 000011